(57)【要約】【課題】複数の放送のチャンネルの中で、所定の番組を選択する時、放送切替ボタンで、受信する放送を切替えた後、所定の番組を選ぶ為には、いずれも時間と手間が必要であり、希望の番組を容易に見ることが出来なかった。【解決手段】希望のチャンネルをまず登録し、電源オンの間もしくは一定の時間毎に、視聴者が自分で番組を選択しなくても、自動で検索を行い、条件を満たした番組が検出されると、自動的に、全画面に表示されたり、或いは副画面に自動的に順次、出画されるので、視聴者は、希望の番組を容易に選択視聴することが、出来る。【選択図】図１
2005217588.tif 000002
【特許請求の範囲】
【請求項１】
受信する放送（以下、ネットワークという）ごとにチャンネルを所定の順番に並べ、予め、視聴しないチャンネルを省略して希望するチャンネルだけを選択し、その情報をテレビ受信機のメモリに記憶し、さらに、希望のジャンルやタイトルを設定し、条件に合うチャンネルを一定期間毎に検索し、その情報をメモリに格納し、先にメモリに入れた情報と合わせて、地上アナログチューナ、地上デジタルチューナもしくはＢＳ／ＣＳチューナで復調し、地上波受信回路またはＢＳ／ＣＳ受信回路で映像信号に変換し、前記信号を切り替える入力信号切換制御部を通して出力することを特徴とする放送受信機番組自動選択システム。
【発明の詳細な説明】
【技術分野】
【０００１】
本発明は、地上アナログ、地上デジタル、ＢＳ、ＣＳの放送の中から、放送切替キーによる操作をせずに、リモコンのチャンネル選択の上下キーの操作だけで、所定の番組を容易に選択できるシステムに関するものである。
【背景技術】
【０００２】
従来からのＵＨＦ、ＶＨＦのアナログ放送以外に、ＢＳアナログ、ＢＳデジタル、ＣＳ放送のチャンネルが増え、さらに、ＵＨＦの地上デジタル放送の開始と共に、チャンネル数が増大している。従来のデジタルテレビのチャンネル選択方法を説明する。
図３は、従来の放送チャンネルとリモコンの構成である。図４は、従来のチャンネル選択方法を示すフローチャートであるである。符号１７から符号２６は、何れもリモコン７の操作キーであり、１７は電源キー、１８は画面でチャンネルや番組を選択するのに使用するＥＰＧキー、１９はチャンネルを指定する数字キー、２０は選択した内容を決定する決定キー、２１はＥＰＧ画面におけるチャンネルや番組などを選択する上下左右キー、２２ａは地上アナログ放送を選択するための地上アナログ放送キー、２３ａは地上デジタル放送を選択する地上デジタル放送キー、２４ａはＢＳ放送を選択するＢＳ放送キー、２５ａはＣＳ放送を選択するＣＳ放送キー、２６はチャンネル上下キー、２７は２画面キー、２８は左右入替キーである。
【０００３】
図５は、チャンネル選択ブロック図である。１は地上アナログチューナ、２は地上デジタルチューナ、３はＢＳ／ＣＳチューナ、４は地上波受信回路、５はＢＳ／ＣＳ受信回路、６はＥＰＧ（電子番組）情報処理回路、７はリモコン、８はメモリ、９は入力信号切替制御部、１０は映像出力回路、１１はディスプレイ、１２は画面上の文字等を表示するＯＳＤ表示回路、１３はＯＳＤ表示制御回路、１４は受信回路であり、テレビジョン受信機１５を構成する。また、２９はＬＡＮ回路、３０はインターネット網である。
【０００４】
視聴者は、見たい番組をリモコン７で放送切換を選択してその信号を送信し、受信回路１４で受信し、その受信された信号によって、まず地上アナログチューナ１、もしくは地上デジタルチューナ２、ＢＳ／ＣＳチューナ３に入力して信号をそれぞれの地上波受信回路４、もしくは、ＢＳ／ＣＳ受信回路５で受信する。その時に選局するチャンネルは、メモリ８に保存された前回選局されたチャンネルの情報を使うこともある。
【０００５】
次に、リモコン７でチャンネル上下キー２６でその受信しているネットワーク内で選局して、上記地上波受信回路４もしくはＢＳ／ＣＳ受信回路５で受信した映像信号を後段の入力信号切換制御部９に送る。そこでリモコン７から送られる放送切換キー２２ａ、２３ａ、２４ａ、２５ａの情報から入力信号切換制御部９でも入力の切換を行うこともある。
そこで選択された信号は映像出力回路１０を通して、ディスプレイ１１に表示される。また、地上波受信回路４、ＢＳ／ＣＳ受信回路５から出力される電子番組情報処理回路６を使ってＯＳＤ表示回路１２を通して映像出力回路１０を経由してディスプレイ１１に表示し、電子番組表の中で選局する場合もある。
【０００６】
多くのチャンネルの中から、所定の番組を選ぶ際、放送切替キー２２ａ，２３ａ，２４ａ，２５ａで、まず、地上アナログチャンネル２２ｂ、地上デジタルチャンネル２３ｂ、ＢＳチャンネル２４ｂ、ＣＳチャンネル２５ｂの何れかを選び、次に、リモコン７のチャンネル操作用上下キー２６で所定の番組を選択するが、多くのチャンネルの中から選ぶ際に、放送切替キーの操作が必ず必要で手間がかかった。
【０００７】
次に、選局方法を詳しく述べる。図３で従来のチャンネルの選択を説明する。地上アナログチャンネル２２ｂの中で希望チャンネルを選択する場合、まず、リモコン７の地上アナログキー２２ａを押し、リモコン７の上下キー２６で、所定の番組を選択していた。地上デジタルチャンネル、ＢＳチャンネル、ＣＳチャンネルも同様である。又、ＥＰＧを利用する場合、リモコン７のＥＰＧキー１８を押して、ＥＰＧ画面を出画し、上下左右キー２１と決定キー２０で、所定の番組を選択したり、上下キー２６で選択していた。
【０００８】
図４で、チャンネル選択の流れを具体的に説明する。ステップ８では、電源オン後、番組が所定の番組か判断を行う。所定の番組であれば、ステップ９に示すように、そのまま見る。所定の番組でなければ、ステップ１０に示すように、まず、ネットワーク（放送）を切替え、次に、ステップ１１に示すように、チャンネルを上下キー２６で切替え、選択する。
【０００９】
ステップ１２は、別の番組を選択するかどうかの判断を示しており、別の番組を選ぶ場合は、ステップ１０に戻り、継続して視聴する場合は、ステップ９に戻る。ステップ１０の操作は、リモコン地上アナログ放送２２ａ，地上デジタル放送２３ａ，ＢＳ放送２４ａ，ＣＳ放送２５ａのキーを押すことである。ステップ１１の操作は、上下キー２６を押すことである。
【００１０】
ＥＰＧ機能を利用する場合でも、まず、放送切替操作が必要であり、多くのチャンネルの中から、所定のチャンネルを探すことは、面倒で、最も見たい番組を選択出来ないことが起こる。さらに、「お好み選局」機能であらかじめ「お好みチャンネル」を選択することもあるが、これも一つのネットワーク内でしか、選択出来ない。
【特許文献１】特開２００１−１５７１３６号公報
【発明の開示】
【発明が解決しようとする課題】
【００１１】
地上アナログチャンネル、地上デジタルチャンネル、ＢＳチャンネル、ＣＳチャンネルの異なるネットワークから、希望のチャンネルを選択する場合、それぞれの放送切替ボタンで、まず，ネットワークを切替えて、その後、チャンネル上下キーで、希望のチャンネルを選択したり、ＥＰＧ画面や「お好み選局」画面上で、リモコンのチャンネル上下キーや上下左右キーと決定キーで選択しなければならなかった。その操作を容易にする為、リモコンのキーの数が多くなり、高齢者にとっても、使いにくいという課題があった。
【課題を解決するための手段】
【００１２】
以上の課題を解決するために、本発明のテレビジョン受信機番組自動選択システムは、事前に、希望のチャンネル、見たくないチャンネル、契約の必要なチャンネルで契約をしていないチャンネルを事前にメモリに登録しておき、さらに、スポーツや芸能などのジャンルや  野球選手や歌手名などのタイトルを検索し、結果をメモリに登録する。その情報をもとに、自動的に、画面が３秒ごとに出画したり、子画面に、３秒ごとに出画するので、希望のチャンネルを選択することが出来る。
【発明の効果】
【００１３】
本発明のシステムによって、地上アナログチャンネル、地上デジタルチャンネル、ＢＳチャンネル、ＣＳチャンネルの中から、希望のチャンネルが、自動的に、検索され、出画するので、その中から、リモコンの決定キーだけで選択出来る。また、リモコンのキーの数が多く、高齢者にとって、使いにくいという課題があったが、決定キー一つだけで、所定のチャンネルを選択出来、希望の番組をより楽しむことが、出来る。
【００１４】
さらに、キーを減らすことにより、リモコンは、小さく出来、ほとんど使用しないキーは、小さくするか、蓋の中に移動出来るので、さらに、小さく出来る。
【発明を実施するための最良の形態】
【００１５】
上記の構成により、受信可能な番組の中から、希望の番組が、順次検索され、自動的に、出画し、選択出来る。
【００１６】
（実施の形態１）
以下、本発明の一実施例について、図面を参照しながら、説明する。図１は、放送チャンネルの構成と放送番組情報の表示画面の一例、図２は、チャンネル選択方法のフローチャート、図５はチャンネル選択を行う放送受信番組自動選択システムのブロック図である。
【００１７】
図１で、符号１７から符号２８は図３と同様であり、１７は電源キー、１８はの決定キー、２１はＥＰＧ画面でチャンネルや番組を選択するのに使用するＥＰＧキー、１９は数字キー、２０はＥＰＧ画面におけるチャンネルや番組など上下左右キー、２２ａは地上アナログ放送キー、２２ｂは地上アナログチャンネル、２３ａは地上デジタル放送キー、２３ｂは地上デジタルチャンネル、２４ａはＢＳ放送キー、２４ｂはＢＳ放送チャンネル、２５ａはＣＳ放送キー、２５ｂはＣＳ放送チャンネル、２６は上下キー、２７は２画面キー、２８は左右入替キーである。
【００１８】
１６は選択された希望チャンネルで、希望するチャンネルを登録し、希望しないチャンネルや未契約のチャンネルを省き、ジャンルやタイトルで検索されたチャンネルを示している。多くのチャンネルの中からこの選択されたチャンネルだけが、自動的に、画面に出画する。
【００１９】
次に図２において、チャンネル自動選択の流れについて、詳しく説明する。
【００２０】
まず、番組自動検索モードに入る。ステップ１は、希望のチャンネルを登録し、希望しないチャンネルや未契約のチャンネルを削除するかどうかの判断を示す。
【００２１】
ステップ２は、ステップ１で絞り込まれたチャンネルの中から、さらに、スポーツや芸能などのジャンルや  野球チーム名や歌手名のタイトルの検索を行うかどうかの判断を示す。その登録、検索結果は、メモリに保存されるが、保存された画面の一例を図１右上に示す。月日、時分、ネットワーク、チャンネル、ジャンル、タイトルが示されている。
【００２２】
ステップ３は、２画面を利用するかどうかの判断を示す。
【００２３】
ステップ４は、２画面を利用した場合、副画面に、検索されたチャンネルが、自動的に出画されるが、副画面を選択するかどうかの判断を示す。３秒間経過すると、自動的に、その副画面が主画面に切り替わる。
【００２４】
ステップ５は、別のジャンルやタイトルを選択するかどうかの判断を示す。
【００２５】
ステップ６は、別のジャンルやタイトルを選択する際、再設定するかどうかの判断を示す。
【００２６】
ステップ７では、選択した画面が出画するが、３秒間を超えるかどうかの判断が行われる。本発明においては、自動的に出画するチャンネルを自分の目で確認して、リモコンの決定キー２０を押すだけで、選択出来る。また、３秒間で  自動的に画面が変わるが、メモリに保存しているので、上下キー２６を利用すれば、見逃したチャンネルをもう一度、確認することが出来る。又、上下キーを長押しすれば、検索されたチャンネルを早く見ることが、出来る。
【００２７】
選択後、別のジャンルやタイトルのチャンネルを選択したい場合は、図２に示すように、ステップ５、ステップ６から、もう一度、ステップ２に戻れば、検索条件をやり直すことが、出来る。
【００２８】
図５のブロック図は、この番組選択システムを有するテレビジョン受信機１５のブロック図である。ハードウエア的には、従来の構成と基本的に同じ内容で、登録された希望のチャンネル１６は、メモリ８に保存されている。なお、リモコン７の上下キー２６の代わりに、テレビジョン本体に設置されている選局上下キーを操作しても良い。
【００２９】
また、出画する時間の３秒間の設定は、視聴者の年齢や都合により、時間を変えることが可能であって良い。また検索された希望番組のリストは、ＴＶのインターネット機能を利用して、携帯電話にメールで送っても良い。さらに視聴している時間帯が、変わった時は、常に新しい番組を選択出来るように、一定期間ごとに各ネットワークを自動サーチしても良い。
【産業上の利用可能性】
【００３０】
このように本願発明は、複数種類の放送を受信する受信機においてのその操作性を向上するものであり、たとえば大型の表示装置に接続される受信装置であってもよく、また携帯電話や小型のコンピュータなど、持ち運びできる機器に備えられているものであっても同等の効果を奏することが可能である。
【図面の簡単な説明】
【００３１】
【図１】本発明の放送チャンネルの構成をしめす図
【図２】本発明のチャンネル自動選択方法のフローを記す図
【図３】従来の放送チャンネルの構成をしめす図
【図４】従来のチャンネル選択方法のフローを記す図
【図５】本発明のチャンネル選択ブロック図を記す図
【符号の説明】
【００３２】
１    地上アナログチューナ
２    地上デジタルチューナ
３    ＢＳ／ＣＳチューナ
４    地上波受信回路
５    ＢＳ／ＣＳ受信回路
６    ＥＰＧ（電子番組）情報処理回路
７    リモコン
８    メモリ
９    入力信号切替回路
１０    映像出力回路
１１    ディスプレイ
１２    ＯＳＤ表示回路
１３    ＯＳＤ表示制御回路
１４    受信回路
１５    テレビジョン受信機
１６    希望のチャンネル
１７    電源キー
１８    ＥＰＧキー
１９    数字キー
２０    決定キー
２１    上下左右キー
２２ａ    地上アナログ放送キー
２２ｂ    地上アナログチャンネル
２３ａ    地上デジタル放送キー
２３ｂ    地上デジタルチャンネル
２４ａ    ＢＳ放送キー
２４ｂ    ＢＳ放送チャンネル
２５ａ    ＣＳ放送キー
２５ｂ    ＣＳ放送チャンネル
２６    チャンネル上下キー
２７    ２画面キー
２８    左右入替キー
２９    ＬＡＮ回路
３０    インターネット網
【図１】
2005217588.tif 000003
【図２】
2005217588.tif 000004
【図３】
2005217588.tif 000005
【図４】
2005217588.tif 000006
【図５】
2005217588.tif 000007